(57)【要約】【課題】外部環境の悪化があっても、記憶部に記憶されている各種の情報のうち重要な情報を保存可能な携帯電子機器を提供すること。【解決手段】携帯電話機１は、記憶部７０と、外部環境を検出する検知部６０と、記憶部７０及び検知部６０を制御する制御部５７と、を有し、検知部６０は、赤外線を送信可能な赤外線送信部２１と、赤外線を受信可能な赤外線受信部２３と、を含んだ赤外線通信部２５と、赤外線通信部２５をカバーし、筐体表面に液体を収納可能な凹形状に形成された第１凹形状部２９を含む第１カバー部材２７と、を有し、制御部５７は、赤外線送信部２５が前記第１カバー部材２７の第１凹形状部２９に赤外線を照射して、その反射波を受けた赤外線受信部２３の受信強度から液体付着の有無を判断する。【選択図】図３
2011097303.tif 000002
【特許請求の範囲】
【請求項１】
記憶部と、
外部環境を検出する検知部と、
前記記憶部及び検知部を制御する制御部と、を有し、
前記検知部は、
赤外線を送信可能な赤外線送信部と、赤外線を受信可能な赤外線受信部と、を含んだ赤外線通信部と、
前記赤外線通信部をカバーし、筐体表面に液体を収納可能な凹形状に形成された第１凹形状部を含む第１カバー部材と、を有し、
前記制御部は、
前記赤外線送信部が前記第１カバー部材の第１凹形状部に赤外線を照射して、その反射波を受けた前記赤外線受信部の受信強度から液体付着の有無を判断する
携帯電子機器。
【請求項２】
前記検知部は、さらに、
音声を出力可能なスピーカと、音声を入力可能なマイクロフォンと、を含んだ音声入出力検知部と、
前記音声入出力検知部をカバーし、筺体表面に液体を収納可能な凹形状に形成された第２凹形状部を含む第２カバー部材と、を有し、
前記制御部は、
前記スピーカが前記第２カバー部材の第２凹形状部に音声を出力して、その反射音波を受けた前記マイクロフォンの強度から液体付着の有無を判断する
請求項１に記載の携帯電子機器。
【請求項３】
前記制御部は、さらに、
前記検知部によって検出した外部環境が一定の状態であると判断した場合には、前記記憶部に記憶している情報を、前記記憶部より保存性の高い記憶部に転送記憶させる
請求項１又は２に記載の携帯電子機器。
【請求項４】
外部環境の変化に対する耐性の異なる複数の前記記憶部を有し、
前記制御部は、
前記検知部によって検出した外部環境が一定の状態であると判断した場合には、前記記憶部に記憶している情報を、前記複数の前記記憶部のうち、外部環境の変化に対する耐性の最も高い前記記憶部に転送記憶させる
請求項３に記載の携帯電子機器。
【請求項５】
外部に存在する記憶機能を有する機器と通信可能な通信部を有し、
前記制御部は、
前記検知部によって検出した外部環境が一定の状態であると判断した場合には、前記外部に存在する記憶機能を有する機器と前記通信部を介して通信して、前記記憶部に記憶している情報を、前記外部に存在する記憶機能を有する機器に転送記憶させる
請求項３に記載の携帯電子機器。
【請求項６】
前記記憶部に記憶している情報を、外部環境の変化に対する耐性の最も高い前記記憶部に転送記憶させる、又は、前記外部に存在する記憶機能を有する機器に転送記憶させる順序はより重要度が高いものを優先させる
請求項３〜５いずれか１項に記載の携帯電子機器。
【請求項７】
前記制御部は、前記検知部が一定の状態であると検出した場合には、その旨の報知処理を行う
請求項３〜６いずれか１項に記載の携帯電子機器。
【発明の詳細な説明】
【技術分野】
【０００１】
本発明は携帯電話機、ＰＤＡ、携帯型ゲーム機、携帯用テレビ、携帯用ラジオ等の携帯電子機器に関する。
【背景技術】
【０００２】
特許文献１には、ＧＰＳ衛星からの現在位置情報を監視センタ宛てに一定時間毎に送信する、あるいは、緊急通報ボタンが操作されたとき、監視センタ宛てに現在位置を送信する携帯電子機器が開示されている。
また、特許文献２には、水濡れ検知機能付き携帯電話機が開示されている。
【先行技術文献】
【特許文献】
【０００３】
【特許文献１】特開平８―１８０２８６号公報
【特許文献２】特開２００１―１９７１７５号公報
【発明の概要】
【発明が解決しようとする課題】
【０００４】
しかしながら、特許文献１及び２に記載の方法においては、携帯電子機器に記憶されている情報を保存できないという不利益がある。
【０００５】
本発明の目的は、外部環境の悪化があっても、記憶部に記憶されている各種の情報のうち重要な情報を保存可能な携帯電子機器を提供することである。
【課題を解決するための手段】
【０００６】
本発明の携帯電子機器は、記憶部と、外部環境を検出する検知部と、前記記憶部及び検知部を制御する制御部と、を有し、前記検知部は、赤外線を送信可能な赤外線送信部と、赤外線を受信可能な赤外線受信部と、を含んだ赤外線通信部と、前記赤外線通信部をカバーし、筐体表面に液体を収納可能な凹形状に形成された第１凹形状部を含む第１カバー部材と、を有し、前記制御部は、さらに、前記赤外線送信部が前記第１カバー部材の第１凹形状部に赤外線を照射して、その反射波を受けた前記赤外線受信部の受信強度から液体付着の有無を判断する。
【０００７】
好適には、前記検知部は、さらに、前記検知部は、音声を出力可能なスピーカと、音声を入力可能なマイクロフォンと、を含んだ音声入出力検知部と、前記音声入出力検知部をカバーし、筺体表面に液体を収納可能な凹形状に形成された第２凹形状部を含む第２カバー部材と、を有し、前記制御部は、前記スピーカが前記第２カバー部材の第２凹形状部に音声を出力して、その反射音波を受けた前記マイクロフォンの強度から液体付着の有無を判断する。
【０００８】
好適には、前記制御部は、さらに、前記検知部によって検出した外部環境が一定の状態であると判断した場合には、前記記憶部に記憶している情報を、前記記憶部より保存性の高い記憶部に転送記憶させる。
【０００９】
好適には、外部環境の変化に対する耐性の異なる複数の前記記憶部を有し、前記制御部は、前記検知部によって検出した外部環境が一定の状態であると判断した場合には、前記記憶部に記憶している情報を、前記複数の前記記憶部のうち、外部環境の変化に対する耐性の最も高い前記記憶部に転送記憶させる。
【００１０】
好適には、外部に存在する記憶機能を有する機器と通信可能な通信部を有し、前記制御部は、前記検知部によって検出した外部環境が一定の状態であると判断した場合には、前記外部に存在する記憶機能を有する機器と前記通信部を介して通信して、前記記憶部に記憶している情報を、前記外部に存在する記憶機能を有する機器に転送記憶させる。
【００１１】
好適には、前記記憶部に記憶している情報を、外部環境の変化に対する耐性の最も高い前記記憶部に転送記憶させる、又は、前記外部に存在する記憶機能を有する機器に転送記憶させる、順序はより重要度が高いものを優先させる。
【００１２】
好適には、前記制御部は、前記検知部が一定の状態であると検出した場合には、その旨の報知処理を行う。
【発明の効果】
【００１３】
本発明によると、外部環境の悪化があっても、記憶部に記憶されている各種の情報のうち重要な情報を保存可能な携帯電子機器を提供することができる。
【図面の簡単な説明】
【００１４】
【図１】本発明の実施態様に係る携帯電話機の外観を示す斜視図である。
【図２】図１の携帯電話機の信号処理系を示すブロック図である。
【図３】本実施形態における処理を説明するフローチャートである。
【図４】第１の変形例の説明図である。
【図５】第１の変形例における処理を説明するフローチャートである。
【図６】第３の変形例の説明図である。
【図７】第４の変形例の説明図である。
【発明を実施するための形態】
【００１５】
図１は、本発明の実施形態に係る携帯電話機１の外観を示す斜視図である。
【００１６】
携帯電話機１は、折り畳み式として構成されている。
携帯電話機１は第１筐体２及び第２筐体３とで構成されている。
第１筐体２は、第２筐体３と対向する部分を構成する第１筐体フロントケース４と、第２筐体３とは反対側部分を構成する第１筐体リアケース５とを有している。
第２筐体３は、第１筐体２と対向する部分を構成する第２筐体フロントケース６と、第１筐体２とは反対側部分を構成する第２筐体リアケース７とを有している。
【００１７】
第１筐体フロントケース４及び第１筐体リアケース５はネジ等により互いに固定され、第１筐体フロントケース４及び第１筐体リアケース５の間に形成された空間に種々の電子部材を収容する収容空間を構成する。
第２筐体フロントケース６及び第２筐体リアケース７もネジ等により互いに固定され、第２筐体フロントケース６及び第２筐体リアケース７の間に形成された空間に種々の電子部材を収容する収容空間を構成する。
これらの第１筐体フロントケース４、第１筐体リアケース５、第２筐体フロントケース６及び第２筐体リアケース７は、例えば、樹脂により形成されている。
【００１８】
また、図１のように第１筐体２を上にし、第２筐体３を下にした状態とした時に、右側に来る側面を右側面１１とし、左側に来る側面を左側面１２という。
そして、右側面１１側に向かう方向を右側面方向（図１においては、紙面右の方向）といい、左側面１２面に向かう方向を左側面方向（図１においては、紙面左の方向）という。
【００１９】
図１のように、第１筐体フロントケース４には表示部８が配置されている。
この表示部８は、携帯電話機１の状態、ユーザの操作内容、発信先電話番号、電子メールの内容の表示、ゲーム画面等の様々な情報を表示するためのものである。
また、表示部８はＬＣＤ（液晶ディスプレイ）、ＯＬＥＤ（Organic light-emitting diode：有機ＥＬ）等によって構成されている。
【００２０】
また、図１のように、第２筐体フロントケース６の表面方向には、入力部１０が配置されている。この入力部１０をユーザが操作することによって、携帯電話機１に命令の入力、文字の入力等がなされる。
【００２１】
なお、図１には図示していないが、第１筐体２又は第２筐体３内部には、検知部６０を構成する各種のセンサが配置されている。
各種のセンサの具体例は、図２についての説明において後述するが、温度検知センサ６１、水検知センサ６２、加速度検知センサ６３等である。
もっとも、これらのセンサに限定する趣旨ではなく、必要に応じてその他のセンサを設けることも可能である。
たとえば、高度検知センサ、気圧検知センサ、放射線検知センサ、光検知センサ等である。
【００２２】
また、検知部６０を構成する各種のセンサの位置は、その検出する対象に応じて最も適切な位置に配置することが好適である。
たとえば、水検知センサ６２であれば、水に濡れた場合に最初に水に触れるはずの第１筐体２又は第２筐体３の表面側に配置すると好適であり、温度検知センサ６１であれば、もっとも高温になりやすいＣＰＵの近傍に配置すると好適である。
【００２３】
一般的に、図１のような携帯電話機１には、ユーザにとって重要な情報が不図示の記憶部７０に記憶されている場合が多い。たとえば、不図示の撮像部５５によって撮影した静止画・動画等の画像情報、電子メールの送受信内容、録音した音声情報、アドレス帳情報、スケジュール情報等である。
これらの重要な情報について、頻繁にバックアップを取っていればよいが、そのような行為を行うユーザはまれである。
さらに、バックアップを取っていても、バックアップの後の情報は保存できない。
そこで、本実施形態は、このような重要な情報が喪失することを防ぐことを目的としている。
このような重要な情報が喪失することは、携帯電話機１が水没、焼損、温度上昇等によって毀損することが原因である場合も多い。
そこで、本実施形態では、このような毀損が生ずる可能性ある場合を検知部６０が検知して、より保存性が高い記憶部７０に転送してそれを記憶（転送記憶）させる。
これによって、重要な情報をできるだけ保護することを可能とするものである。
そのための、具体的な方法について以下説明する。
【００２４】
図２は、図１の携帯電話機１の信号処理系を示すブロック図である。
【００２５】
図２に示されるように、携帯電話機１は、制御・処理の中枢である制御部５７と、通信部５１と、操作部５２と、音声入出力部５３と、表示部８と、撮像部５５と、記憶部７０のそれぞれが、アドレス、データ、コントロールのためのラインが複数本からなるシステムバス５８に共通に接続され、構成される。
【００２６】
通信部５１は、無線通信システムを捕捉し、通信ネットワークに接続される基地局１００との間で無線通信を行い、各種データの送受信を行う。各種データとは、Ｗｅｂ上のダウンロードサイトからダウンロードされるファイルのデータ、音声通話時の音声データ、メール送受信時のメールデータ、ウェブ閲覧時のウェブページデータ、等である。
【００２７】
操作部５２は、入力部１０及びその他の部分から入力されるユーザの指示を受け付ける。
入力部１０には、例えば、電源キー、通話キー、数字キー、文字キー、方向キー、決定キー、発信キー、ファンクションキーなど、各種の機能が割り当てられたキーが配置されている。
そして、これらのキーがユーザによって操作された場合に、その操作内容に対応する信号を発生し、これをユーザの指示として制御部５７に出力する。
【００２８】
音声入出力部５３は、スピーカから出力される音声信号やマイクロフォンにおいて入力される音声信号の入出力処理を行う。
すなわち、音声入出力部５３は、マイクロフォンから入力された音声を増幅し、アナログ／デジタル変換を行い、更に符号化等の信号処理を施し、デジタルの音声データに変換して制御部５７に出力する。
また、音声入出力部５３は、制御部５７から供給される音声データに復号化、デジタル／アナログ変換、増幅等の信号処理を施し、アナログの音声信号に変換してスピーカに出力する。
この音声入出力部５３のマイクロフォンが検出した音声を、後述する記憶部７０が記憶している。
【００２９】
表示部８は、例えばＬＣＤやＯＬＥＤを用いて構成されており、制御部５７から供給される映像信号に応じた画像を表示する。
表示部８は、例えば、通信部５１による無線発信時における発信先の電話番号、着信時における発信元の電話番号、受信メールや送信メールの内容、日付、時刻、電池残量、発信成否、待ち受け画面等を表示する。
【００３０】
撮像部５５は、ＣＣＤ（Charge Coupled Device）やＣＭＯＳ（Complementary Metal Oxide Semiconductor）イメージセンサ等の光電変換素子とその制御回路等により構成されるカメラである。
この撮像部５５で、撮影された静止画又は動画情報が記憶部７０に記憶されている。
【００３１】
記憶部７０では、携帯電話機１の各種処理に利用される各種データを記憶する。
記憶部７０は、例えば制御部５７が実行するコンピュータのプログラム、通信相手の電話番号や、着信音やアラーム音を再生するための音声ファイル、待ち受け画面用の画像ファイル、各種の設定データ、プログラムの処理過程で利用される一時的なデータが記憶される。
本実施形態では、音声入出力部５３によって検出された音声情報が、記憶部７０に記憶されている。
また、撮像部５５によって撮影された静止画・動画の情報を記憶部７０は記憶している。
さらに、電子メールアドレス、電話番号等の個人情報を管理するアドレス帳及び電子メールの内容も記憶部７０は記憶している。
加えて、入力部１０等によって入力された、スケジュール情報も記憶部７０は、記憶している。
以上に記載した以外の情報も、記憶部７０は記憶している。
【００３２】
記憶部７０は、ＲＡＭ７１、ＲＯＭ７２、メモリカード７３等から構成されている。
この記憶部７０を構成するＲＡＭ７１、ＲＯＭ７２、メモリカード７３のうちどの装置を用いて、情報を記憶するかは、情報に応じて適切に選択されている。
なお、ＲＡＭ７１は、たとえば、ＤＲＡＭ、ＳＲＡＭ等から構成されている。
メモリカード７３は、着脱可能なパッケージ化されたメモリである。
以上のＲＡＭ７１、ＲＯＭ７２、メモリカード７３は、あくまで、記憶部７０の一例であり、これ以外の記憶装置を記憶部７０として用いることも可能である。
携帯電話機１が毀損した場合に情報を転送記憶することを目的とした、より、強固かつ保存性の高い記憶装置を新たに開発することも可能である。
【００３３】
ＲＡＭ７１、ＲＯＭ７２、メモリカード７３は、その構造等に基づく保存性（安全性）が異なる。
つまり、メモリカード７３は、独立して持ち運び可能とするために、電気の供給が無くても内部の情報を保持可能である。
さらに、メモリカード７３は、独立して持ち運び可能とするために、比較的頑丈な筐体によって保持され、多少の水濡れ、温度上昇等があっても情報を保持可能である。
他方、ＲＡＭ７１の一例であるＤＲＡＭは、電気供給がなくなればすぐに情報が喪失してしまう。
【００３４】
したがって、携帯電話機１が毀損する可能性のある環境となった場合には、より、保存性が高いメモリカード７３に情報を退避させておくことができれば、携帯電話機１が毀損した後であっても、転送記憶した情報を読み出すことが可能となる。
そこで、本実施形態では、検知部６０が外部環境を検出し、一定の条件を満たした場合には、重要な情報を、最も保存性の高い記憶部７０（メモリカード７３）に退避させている。
これによって、ユーザにとって重要な（再現することができない）情報をより保存性（安全性）の高い記憶部７０に転送記憶することができるのであるから、この情報が失われる恐れを低減することが可能となる。
【００３５】
検知部６０は、携帯電話機１の外部環境を検出する。
本実施形態では、温度検知センサ６１、水検知センサ６２、加速度検知センサ６３である。
もっとも、以上のセンサに限定する趣旨ではなく、必要に応じて各種のセンサを搭載することが可能である。
そして、この温度検知センサ６１、水検知センサ６２、加速度検知センサ６３等から成る検知部６０が一定の条件を満たすと判断した場合には、制御部５７にその旨を通知する。
【００３６】
制御部５７は、携帯電話機１の全体的な動作を統括的に制御する。
すなわち、制御部５７は、携帯電話機１の各種処理（回線交換網を介して行われる音声通話、電子メールの作成と送受信、インターネットのＷｅｂ上のダウンロードサイトの閲覧など）が操作部５２の操作に応じて適切な手順で実行されるように、上述した各ブロックの動作（通信部５１における信号の送受信、表示部８における画像の表示、撮像部５５における撮像処理等）を制御する。
さらに、制御部５７は、記憶部７０に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部５７は、記憶部７０に格納されるオペレーティングシステムやアプリケーションプログラム等のプログラムから命令コードを順次受け取って処理を実行する。
【００３７】
本実施形態においては、特に、制御部５７は以下の動作を行う。
制御部５７は、検知部６０から通知される外部環境の変化があると、記憶部７０の中で、保存性の低い記憶部７０（たとえばＲＡＭ７１）に記憶されている情報を、保存性の高い記憶部７０（たとえばメモリカード７３）に転送し記憶（コピー）する。
【００３８】
なお、制御部５７が、保存性の低い記憶部７０から保存性の高い記憶部７０にコピーする情報は、すべてである必要はなく、重要度の高い情報からコピーすることが好適である。
一般的に重要度が高い動画・静止画等の画像情報を優先するように、あらかじめ設定しておくことも可能である。
重要度は、ユーザが設定することができることにしておけば、より好適である。
【００３９】
図３は、本実施形態における処理を説明するフローチャートである。
【００４０】
ステップＳＴ０１において、検知部６０により外部環境を検出する。
なお、直接外部環境を検出するだけでなく、たとえばＣＰＵ周辺の温度を検出することによって間接的に外部環境を検出することもできる。
【００４１】
ステップＳＴ０２において、検知部６０が検出した外部環境が一定の条件を満たしているか判断する。
一定の条件とは、たとえば、加速度センサ６３である場合には、携帯電話機１が毀損するほどの強度の加速度が加わっている場合である。
煙検知センサ６５の場合には、同じく携帯電話機１が毀損するほどの煙であると判断される場合である。
そして、一定の条件を満たしていない場合には、ステップＳＴ０１の処理に戻る。
一方、一定の条件を満たしていると判断した場合には、ステップＳＴ０３の処理に移行する。
【００４２】
ステップＳＴ０３において、制御部５７は、記憶部７０のうち情報を退避させるのに最も適切な記憶部７０を選択する。
たとえば、ＲＡＭ７１とＲＯＭ７２とメモリカード７３が実装されている場合であれば、メモリカード７３が選択される。
それ以外に、より、保存性が高い記憶部７０があればその記憶部７０に情報を退避するのが好適である。
【００４３】
ステップＳＴ０４において、ステップＳＴ０３において選択した記憶部７０にデータを転送して、コピー（退避）する。
【００４４】
以上の様に構成したことによって、携帯電話機１が毀損する可能性がある場合に、携帯電話機１内の情報をより保存性（安全性）の高い記憶部７０に転送記憶させることが可能となる。
【００４５】
＜第１の変形例＞
より好適な、第１の変形例を以下に記載する。
図４は、第１の変形例の説明図である。
【００４６】
図４が、図２と異なる点は、通信部５１によって記憶部７０に記憶されている重要な情報が携帯電話機１の外部に存在する外部記憶部７４に記憶される点である。
つまり、検知部６０が一定の条件（状態）を検出すると、制御部５７は通信部５１を通じて、外部記憶部７４に記憶部７０が記憶している情報を転送記憶させる。
通信部５１は基地局１００と通信して、情報信号を基地局１００に送信する。
この情報信号を受信した基地局１００は、通信網１０１を通じて外部記憶部７４にこの情報信号を転送記憶させる。
なお、通信網１０１はインターネット通信網であってもよいし、電話通信網であってもよく、さらに、その他の通信網１０１であってもよい。
また、外部記憶部７４はユーザが管理する外部記憶部７４（たとえば、ユーザの自宅パーソナルコンピュータの記憶装置）であってもよいし、携帯電話機１を管理等する者が管理する外部記憶部７４であってもよい。
また、外部記憶部７４は携帯電話機１が最後に通信（通話）した通信先であってもよい。
【００４７】
図５は、第１の変形例における処理を説明するフローチャートである。
【００４８】
図５の処理は、基本的に図３の処理と同一であるが、異なる点は、ステップＳＴ０５からステップＳＴ０７までの処理を行う点である。
ステップＳＴ０１からステップＳＴ０４の処理は同一であるから、説明を省略する。
【００４９】
ステップＳＴ０５において、通信部５１の電波強度、エラーレート等の電波状況を検出する。
【００５０】
ステップＳＴ０６において、ステップＳＴ０５によって検出された電波状況で、データ（情報）を送信可能か判断する。
そして、データを通信可能と判断した場合には、ステップＳＴ０７に移行する。
他方、データを通信不可能と判断した場合には、ステップＳＴ０３に移行する。
つまり、通信部５１を用いることによって記憶できない場合には、外部への情報の保存（転送記憶）をやめ、携帯電話機１内に実装されている記憶部７０のうち最も保存性（安全性）の高い記憶部７０に保存（転送記憶）する。
【００５１】
以上の様に構成することによって、より安全性の高い外部の外部記憶部７４に重要な情報の転送記憶を行うことができる。
これによって、より確実に、情報の保存が可能となる。
【００５２】
なお、この実施例では、通信部５１を使用した外部記憶部７４への記憶と内部の記憶部７０のうち最も保存性の高い記憶部７０への記憶とは選択的であったが、両方を平行して行うこともできる。
【００５３】
＜第２の変形例＞
より好適な、第２の変形例を以下に記載する。
以上の実施態様及び第１の変形例では、検知部６０が一定の状態を検知した場合には、単に、情報をより保存性の高い記憶部７０に転送記憶していたが、これに加えて、その旨をユーザに通知するのがより好適である。
この通知は、表示部８、インジケータ、音声入出力部５３のスピーカ等を用いることが効果的である。
これによって、ユーザはその原因を除去する、若しくは、退避することが可能となる。
【００５４】
＜第３の変形例＞
より好適な、第３の変形例を以下に記載する。
図６は、第３の変形例の説明図である。
特に、水（液体）を検出する水検知センサ６２に対する変形例である。
携帯電話機１は赤外線通信部２５を有していてもよい。
そして、この赤外線通信部２５を第１カバー部材２７はカバーする。
この第１カバー部材２７は、筐体の表面に形成され、液体を収納可能な凹形状を有する第１凹形状部２９を有する。
赤外線通信部２５は、赤外線を照射可能な赤外線送信部２１と、赤外線を受けることができる赤外線受信部２３とを有する。
また、赤外線送信部２１から出射された赤外線は第１凹形状部２９に照射され、この第１凹形状部２９で赤外線は反射される。
この反射された赤外線を赤外線受信部２３は受信して、その強度を検出することができる。
以上のような構成で、第１凹形状部２９に水（液体）がたまると、赤外線送信部２１から照射され反射された赤外線の強度は変化する。
この変化を、赤外線受信部２３を介して制御部５７が判断して、水を検知する。
このように、第１凹形状部２９に付着した水（液体）に赤外線を照射して、反射信号の強度を検出して水の有無を判断させることによって、赤外線通信部２５は水検知センサ６２として作用させることが可能となる。
なお、赤外線通信部２５は、水検知以外に赤外線による通信を行う機能も有している。
【００５５】
＜第４の変形例＞
他のより好適な、第４の変形例を以下に記載する。
図７は、第４の変形例の説明図である。
特に、水（液体）を検出する水検知センサ６２に対する変形例である。
また、携帯電話機１は音声入出力検知部３５を有していてもよい。
そして、この音声入出力検知部３５を第２カバー部材３７はカバーする。
この第２カバー部材３７は、筐体の表面に形成され、液体を収納可能な凹形状を有する第２凹形状部３９を有する。
音声入出力検知部３５は、音声を出力可能なスピーカ３１と、音声の入力を受けることができるマイクロフォン３３とを有する。
また、スピーカ３１から出射された音波は第２凹形状部３９に出力され、この第２凹形状部３９で音波は反射される。
この反射された音波をマイクロフォン３３は受信して、その強度を検出することができる。
以上のような構成で、第２凹形状部３９に水（液体）がたまると、スピーカ３１から出力され反射された音波の強度は変化する。
この変化を、マイクロフォン３３を介して制御部５７が判断して、水を検知する。
このように、第２凹形状部３９に付着した水（液体）に音波を照射して、反射音波の強度を検出して水の有無を判断させることによって、マイクロフォン３３は水検知センサ６２として作用させることが可能となる。
なお、音声入出力検知部３５は、水検知以外に通話時の会話内容を出力する音声入出力部５３としての機能と兼用であってもよい。
【００５６】
＜第５の変形例＞
以上の方法によって、携帯電話機１の毀損の恐れを検出した場合に、保存する情報の優先順位は自由に決定することが可能であるが、特に、最新の情報から保存することが好適である。
その理由は、最新の情報は重要である可能性が高いからである。
【００５７】
以上の実施態様によれば、携帯電話機１は、記憶部７０と、外部環境を検出する検知部６０と、記憶部７０及び検知部６０を制御する制御部５７と、を有している。
また、検知部６０は、赤外線を送信可能な赤外線送信部２１と、赤外線を受信可能な赤外線受信部２３と、を含んだ赤外線通信部２５と、赤外線通信部２５をカバーし、筐体表面に液体を収納可能な凹形状に形成された第１凹形状部２９を含む第１カバー部材２７と、を有している。
そして、制御部５７は、さらに、赤外線送信部２５が前記第１カバー部材２７の第１凹形状部２９に赤外線を照射して、その反射波を受けた赤外線受信部２３の受信強度から液体付着の有無を判断する。
このような構成によって、水の付着の有無を簡単な構成によって検出することが可能となる。
さらに、水の付着を検出することができれば、情報を記憶している記憶部７０が毀損する前にユーザは、携帯電話機１の毀損を防ぐべく処理を行うことができる。
【００５８】
検知部６０は、さらに、音声を出力可能なスピーカ３１と、音声を入力可能なマイクロフォン３３と、を含んだ音声入出力検知部３５と、音声入出力検知部３５をカバーし、筺体表面に液体を収納可能な凹形状に形成された第２凹形状部３９を含む第２カバー部材３７と、を有している。
そして、制御部５７は、スピーカ３１が第２カバー部材３７の第２凹形状部３９に音声を出力して、その反射音波を受けたマイクロフォン３３の強度から液体付着の有無を判断する。
このような構成によって、水の付着の有無を簡単な構成によって検出することが可能となる。
【００５９】
制御部５７は、検知部６０によって検出した外部環境が一定の状態であると判断した場合には、記憶部７０に記憶している情報を、記憶部７０より保存性の高い記憶部７０に転送記憶する。
このような構成によって、携帯電話機１が毀損する可能性がある場合に、携帯電話機１内の情報をより保存性（安全性）の高い記憶部７０に転送記憶させることが可能となる。
【００６０】
携帯電話機１は、外部環境の変化に対する耐性の異なる複数の記憶部７０を有している。
そして、制御部５７は、検知部６０によって検出した外部環境が一定の状態であると判断した場合には、記憶部７０に記憶している情報を、複数の前記記憶部７０のうち、外部環境の変化に対する耐性の最も高い記憶部７０に転送記憶させる。
以上の様に構成したことによって、携帯電話機１が毀損する可能性がある場合に、携帯電話機１内の情報をより保存性（安全性）の高い記憶部７０に転送記憶させることが可能となる。
【００６１】
携帯電話機１は、外部に存在する記憶機能を有する機器と通信可能な通信部５１を有している。
そして、制御部５７は、検知部６０によって検出した外部環境が一定の状態であると判断した場合には、外部に存在する記憶機能を有する機器と通信部５１を介して通信して、記憶部７０に記憶している情報を、外部に存在する記憶機能を有する外部記憶部７４に転送記憶させる。
このような構成によって、より安全性の高い外部の外部記憶部７４に重要な情報の転送記憶を行うことができる。
【００６２】
制御部５７は、記憶部７０に記憶している情報を、外部環境の変化に対する耐性の最も高い記憶部７０に転送記憶させる、又は、外部に存在する記憶機能を有する外部記憶部７４に転送記憶させる、順序はより重要度が高いものを優先させる。
このような構成によって、コピーが途中で中断しても重要度が高いデータを保存することが可能となる。
【００６３】
制御部５７は、検知部６０が一定の状態であると検出した場合には、報知する。
このような構成によって、ユーザは一定の状態が発生していることを認知することが可能となる。
そして、ユーザにとってその一定の状況が好ましくないものであるならば、ユーザはその原因を除去する、若しくは、退避することが可能となる。
【００６４】
本発明は、以上の実施態様に限定されず、種々の態様で実施されてよい。
【００６５】
携帯電子機器は、携帯電話機１に限定されない。例えば、携帯電子機器は、ノートパソコン、ＰＤＡ、ゲーム機、カメラであってもよい。また、携帯電子機器は、折り畳み式のものに限定されない。ケースが一体的に構成されたもの（１つのみのケース）であってもよい。
【符号の説明】
【００６６】
１…携帯電話機、２…第１筐体、３…第２筐体、４…第１筐体フロントケース、５…第１筐体リアケース、６…第２筐体フロントケース、７…第２筐体リアケース、８…表示部、９…ヒンジ部、１０…入力部、１１…右側面、１２…左側面、２１…赤外線送信部、２３…赤外線受信部、２５…赤外線通信部、２７…第１カバー部材、２９…第１凹形状部、３１…スピーカ、３３…マイクロフォン、３５…音声入出力検知部、３７…第２カバー部材、３９…第２凹形状部、５０…電源制御部、５１…通信部、５２…操作部、５３…音声入出力部、５５…撮像部、５７…制御部、５８…システムバス、６０…検知部、６１…温度検知センサ、６２…水検知センサ、６３…加速度検知センサ、７０…記憶部、７１…ＲＡＭ、７２…ＲＯＭ、７３…メモリカード、７４…外部記憶部（外部記憶サーバ）、１００…基地局、１０１…通信網
【図１】
2011097303.tif 000003
【図２】
2011097303.tif 000004
【図３】
2011097303.tif 000005
【図４】
2011097303.tif 000006
【図５】
2011097303.tif 000007
【図６】
2011097303.tif 000008
【図７】
2011097303.tif 000009